(57)【要約】【課題】電源スイッチが装置本体の外面に配置され、感光体ドラムとプロセス手段を離間させる離間手段が設けられている場合において、離間手段を取り外す前に電源スイッチがオンに入ることを防止可能な画像形成装置を提供する。【解決手段】感光体ドラム１と、現像ユニット４と、これらを収容する装置本体の筺体と、筺体に対して開閉可能な開閉ドア４０と、装置本体の外面に設けられた電源スイッチ５０と、電源スイッチ５０をオフの状態でロックするロック機構と、を備え、画像形成装置において、感光体ドラム１と現像ユニット４を離間させる離間部材５３が設けられており、装置本体の出荷後に最初に開閉ドア４０が開かれると、開閉ドア４０を開く動作と連動してロック機構が電源スイッチ５０のロック状態を解除する。【選択図】図２
2009265571.tif 000002
【特許請求の範囲】
【請求項１】
表面に静電潜像が形成される像担持体と、
前記像担持体に形成された前記静電潜像を現像する現像ユニットと、
前記像担持体及び前記現像ユニットを収容する装置本体の筺体と、
前記筺体の一部に設けられ、装置本体に対して開閉可能な開閉ドアと、
装置本体の外面に設けられ、装置本体に対する電気の供給のオンとオフの切り換えを行う電源スイッチと、
前記電源スイッチをオフの状態でロックするロック機構と、
を備え、
画像形成時に前記現像ユニットが前記像担持体に接触して前記静電潜像を現像する画像形成装置において、
前記像担持体と前記現像ユニットを離間させる離間部材が前記開閉ドアの内側面に取り外し可能に設けられており、
前記離間部材は、
前記開閉ドアを閉じた状態で前記像担持体と前記現像ユニットを離間させる一方、
前記開閉ドアが開かれることで前記像担持体と前記現像ユニットが離間した状態を解除する構成であって、
装置本体の出荷後は、前記開閉ドアを最初に開くまで前記ロック機構が前記電源スイッチをオフの状態でロックし、
前記開閉ドアが最初に開かれると、前記開閉ドアを開く動作と連動して前記ロック機構が前記電源スイッチのロック状態を解除することを特徴とする画像形成装置。
【請求項２】
前記ロック機構は、
前記電源スイッチに接触して前記電源スイッチをオフの状態でロックするロック部材と、
前記ロック部材を付勢する付勢部材と、
を備え、
前記ロック部材には、装置本体に係止される係止部が形成されており、
前記係止部が装置本体に係止されることで、前記電源スイッチをオフの状態でロックすることが可能な構成であって、
前記開閉ドアを開くと、
前記開閉ドアに設けられた係止解除部が前記係止部の係止状態を解除することで、前記ロック部材が前記付勢部材に付勢されて移動し、前記ロック部材が前記電源スイッチをオフの状態でロックした状態が解除されることを特徴とする請求項１に記載の画像形成装置。
【請求項３】
前記ロック機構は、
前記電源スイッチに接触して前記電源スイッチをオフの状態でロックするロック部材と、
前記ロック部材を付勢する付勢部材と、
を備え、
前記ロック部材には、前記開閉ドアが閉じた状態で前記開閉ドアに係止される係止部が形成されており、
前記係止部が前記開閉ドアに係止されることで、前記電源スイッチをオフの状態でロックすることが可能な構成であって、
前記開閉ドアを開く動作と連動して前記係止部の係止状態が解除され、前記ロック部材が前記付勢部材に付勢されて移動し、前記ロック部材が前記電源スイッチをオフの状態でロックした状態が解除されることを特徴とする請求項１に記載の画像形成装置。
【発明の詳細な説明】
【技術分野】
【０００１】
本発明は、装置本体の外面に形成された電源スイッチと、装置本体に対して開閉可能な開閉ドアとを備える画像形成装置に関する。
【背景技術】
【０００２】
従来、画像形成装置の正面、または前面に、装置本体への電源供給をオン・オフする電源スイッチが設けられた画像形成装置が提案されている（特許文献１）。このように電源スイッチを装置本体の正面、または前面に配置することで、ユーザの操作性を向上させることができる。
【０００３】
また、電子写真感光体とプロセス手段とを、装置本体に取り外し可能なプロセスカートリッジとして一体化し、プロセス手段を電子写真感光体から離間させるための離間部材を備えた画像形成装置が提案されている（特許文献２）。この構成によれば、画像形成装置を出荷、搬送、設置する際の運搬時の振動等によって、プロセス手段が電子写真感光体の表面に接触して該表面を傷つけることを防止することができる。
【特許文献１】特開２００４−１９８９１６号公報
【特許文献２】特開２００６−３３０４８１号公報
【発明の開示】
【発明が解決しようとする課題】
【０００４】
上記従来例に係る画像形成装置では、以下のような課題を生じる。
【０００５】
従来のように、電源スイッチが装置本体の外面に配置される場合は、画像形成装置を出荷、搬送、設置する際に誤って電源スイッチがオンに入ってしまうことがある。そして、その状態で電源ケーブルを接続すると、電源ケーブルを接続した瞬間に、プロセス手段等に電源が供給されてしまうことになる。
【０００６】
この際、運搬時における電子写真感光体（以下、感光体ドラムと称する）の表面の保護を目的として、感光体ドラムとプロセス手段の離間状態を保持する離間部材が装置本体に装着されたままの場合、画像形成を行うことは不可能である。よって、電源が供給されているにも関らず、離間部材が装着されていることで画像形成が行われないので、ユーザがこの状態を装置本体の故障と判断してしまう可能性がある。
【０００７】
このように従来例に係る画像形成装置の場合は、離間部材が装着された状態で、装置本体の運搬時に電源スイッチがオンに入る可能性もあり、ユーザの誤判断を招きやすく、ユーザの操作性が低下してしまう。
【０００８】
そこで本発明は、電源スイッチが装置本体の外面に配置され、感光体ドラムとプロセス手段とを離間させる離間手段が設けられている場合において、離間手段を取り外す前に電源スイッチがオンに入ることを防止可能な画像形成装置を提供することを目的とする。
【課題を解決するための手段】
【０００９】
上記目的を達成するために本発明にあっては、
表面に静電潜像が形成される像担持体と、
前記像担持体に形成された前記静電潜像を現像する現像ユニットと、
前記像担持体及び前記現像ユニットを収容する装置本体の筺体と、
前記筺体の一部に設けられ、装置本体に対して開閉可能な開閉ドアと、
装置本体の外面に設けられ、装置本体に対する電気の供給のオンとオフの切り換えを行う電源スイッチと、
前記電源スイッチをオフの状態でロックするロック機構と、
を備え、
画像形成時に前記現像ユニットが前記像担持体に接触して前記静電潜像を現像する画像形成装置において、
前記像担持体と前記現像ユニットを離間させる離間部材が前記開閉ドアの内側面に取り外し可能に設けられており、
前記離間部材は、
前記開閉ドアを閉じた状態で前記像担持体と前記現像ユニットを離間させる一方、
前記開閉ドアが開かれることで前記像担持体と前記現像ユニットが離間した状態を解除する構成であって、
装置本体の出荷後は、前記開閉ドアを最初に開くまで前記ロック機構が前記電源スイッチをオフの状態でロックし、
前記開閉ドアが最初に開かれると、前記開閉ドアを開く動作と連動して前記ロック機構が前記電源スイッチのロック状態を解除することを特徴とする。
【発明の効果】
【００１０】
本発明によれば、電源スイッチが装置本体の外面に配置され、感光体ドラムとプロセス手段を離間させる離間手段が設けられている場合において、離間手段を取り外す前に電源スイッチがオンに入ることを防止可能な画像形成装置を提供することが可能になる。
【発明を実施するための最良の形態】
【００１１】
以下に図面を参照して、この発明を実施するための最良の形態を、実施の形態に基づいて例示的に詳しく説明する。ただし、この実施の形態に記載されている構成部品の寸法、材質、形状、その相対配置などは、特に特定的な記載がない限りは、この発明の範囲をそれらのみに限定する趣旨のものではない。
【００１２】
［第１の実施の形態］
図１〜図６を参照して、本発明の第１の実施の形態に係る画像形成装置について説明する。
【００１３】
（画像形成装置の全体構成）
図１に、本実施の形態に係る画像形成装置の概略構成を示す。本実施の形態では、画像形成装置として電子写真方式を採用するカラーレーザープリンタを用いて説明を行う。
【００１４】
図１に示すように、本実施の形態におけるカラーレーザープリンタ１００は、回転可能に構成される４個の感光体ドラム（像担持体）１ａ、１ｂ、１ｃ、１ｄを備えている。それぞれの感光体ドラム１の周囲には、その回転方向に従って順に、帯電ローラ（帯電手段）２ａ、２ｂ、２ｃ、２ｄ、露光ユニット（露光手段）３、現像ユニット（現像手段）４ａ、４ｂ、４ｃ、４ｄが設けられている。また、それぞれの感光体ドラム１ａ、１ｂ、１ｃ、１ｄに当接する中間転写ベルト１２と、中間転写ベルト１２を挟んで感光体ドラム１ａ、１ｂ、１ｃ、１ｄと対向する位置に一次転写ローラ（転写手段）１２ａ、１２ｂ、１２ｃ、１２ｄが設けられている。
【００１５】
感光体ドラム１ａ、１ｂ、１ｃ、１ｄは、アルミニウム製シリンダの外周面に有機光導伝体層（ＯＰＣ）を塗布して構成されたものである。そして、その両端部をフランジによって回転自在に支持されており、一方の端部に不図示の駆動モータから駆動力を伝達することにより、図１の矢印方向（時計回り方向）に回転駆動される。
【００１６】
帯電ローラ２ａ、２ｂ、２ｃ、２ｄは導電性のローラ部材であり、不図示の帯電バイアスが印加されることで、感光体ドラム１ａ、１ｂ、１ｃ、１ｄに接触して感光体ドラム１ａ、１ｂ、１ｃ、１ｄの表面を均一に帯電するものである。本実施の形態では、帯電ローラ２ａ、２ｂ、２ｃ、２ｄによって感光体ドラム１ａ、１ｂ、１ｃ、１ｄの表面は負極性に帯電される。
【００１７】
露光ユニット３は、画像情報に基づいてレーザービームを照射し、感光体ドラム１の表面に静電潜像を形成するものである。
【００１８】
現像ユニット４ａ、４ｂ、４ｃ、４ｄは、感光体ドラム１上の静電潜像に、各々の現像ユニット４が収容するイエロー（Ｙ）、マゼンタ（Ｍ）、シアン（Ｃ）、ブラック（Ｂｋ）のトナー（現像剤）を供給し、静電潜像をトナー像として現像するものである。なお、本実施の形態では、負極性に帯電したトナーを静電潜像に付着させる構成である。
【００１９】
また、現像ユニット４ａ、４ｂ、４ｃ、４ｄには、現像ローラ２４ａ、２４ｂ、２４ｃ、２４ｄ、現像剤塗布ローラ２５ａ、２５ｂ、２５ｃ、２５ｄ、及びトナーを収容するトナー収容部を有している。なお、本実施の形態では、現像ユニット４ａがイエロー（Ｙ）、現像ユニット４ｂがマゼンタ（Ｍ）、現像ユニット４ｃがシアン（Ｃ）、現像ユニット４ｄがブラック（Ｂｋ）のトナーに対応しているものとする。
【００２０】
現像ローラ２４ａ、２４ｂ、２４ｃ、２４ｄは、不図示の駆動部によって回転駆動され、画像形成時に感光体ドラム１ａ、１ｂ、１ｃ、１ｄの表面に接触し、感光体ドラム１ａ、１ｂ、１ｃ、１ｄの表面に形成された静電潜像を現像するものである。なお、トナーを静電潜像に供給する際は、不図示の現像バイアス電源から現像ローラ２４ａ、２４ｂ、２４ｃ、２４ｄに現像バイアスが印加されることで、静電気的にトナーを供給する。
【００２１】
また、現像剤塗布ローラ２５ａ、２５ｂ、２５ｃ、２５ｄは、トナー収容部内において上記現像ローラ２４ａ、２４ｂ、２４ｃ、２４ｄにトナーを供給するものである。
【００２２】
一次転写ローラ１２ａ、１２ｂ、１２ｃ、１２ｄは、不図示の転写バイアス印加手段に接続され、感光体ドラム１ａ、１ｂ、１ｃ、１ｄとの間で電界を形成して、中間転写ベルト１２上に各色のトナー像を転写させるものである。また、転写されずに感光体ドラム１に残ったトナーは、クリーニング部材（クリーニング手段）８ａ、８ｂ、８ｃ、８ｄによって除去される。
【００２３】
本実施の形態に係る画像形成装置では、感光体ドラム１ａ〜１ｄ、帯電ローラ２ａ〜２ｄ、現像ユニット４ａ〜４ｄ、およびクリーニング部材８ａ〜８ｄが、プロセスカートリッジ７ａ〜７ｄとして一体にカートリッジ化されている。また、プロセスカートリッジ７ａ〜７ｄは、装置本体に対して着脱可能に構成されている。なお、プロセスカートリッジａ〜７ｄを構成するもののうち、感光体ドラム１ａ〜１ｄ、帯電ローラ２ａ〜２ｄ、クリーニング部材８ａ〜８ｄ、及び廃トナー容器をまとめてクリーナユニット５ａ、５ｂ、５ｃ、５ｄと称する。
【００２４】
プロセスカートリッジ７ａ〜７ｄで形成されたトナー像は、感光体ドラム１ａ、１ｂ、１ｃ、１ｄから中間転写ベルト１２へ転写される。中間転写ベルト１２は、駆動ローラ１２ｆ、テンションローラ１２ｇに張架されており、テンションローラ１２ｇによって、矢印Ｅ方向に一定の張力がかけられている。
【００２５】
感光体ドラム１ａ、１ｂ、１ｃ、１ｄの表面に現像されたトナー像は、一次転写ローラ１２ａ、１２ｂ、１２ｃ、１２ｄに正極性のバイアスが印加されることにより、感光体ド
ラム１ａ、１ｂ、１ｃ、１ｄ上から順次、中間転写ベルト１２上に一次転写される。このようにして中間転写ベルト１２上には４色のトナー像を重ねて転写され、形成された所望の色調を有するトナー像は、二次転写部１５まで搬送される。
【００２６】
二次転写部１５では、給送カセット１１から搬送されてくるシート材Ｓに中間転写ベルト１２上のトナー像が二次転写される。具体的には、駆動ローラ１２ｆと二次転写ローラ１６のニップ部にシート材Ｓが搬送され、二次転写ローラ１６に不図示の二次転写バイアス電源から正極性の転写バイアスが印加されることで、中間転写ベルト１２からシート材Ｓ上にトナー像が二次転写される。
【００２７】
また、シート材Ｓは、装置本体下方に備えられた給送カセット１１に複数積載されており、給送ローラ９に圧接され、分離ローラ１３により１枚ずつに分離されて（摩擦片分離方式）搬送される。なお、給送カセット１１は、シート材Ｓの補給を行いやすくするために図１中手前側へ引き抜くことが可能である。
【００２８】
搬送されたシート材Ｓは、レジストローラ対１７によって二次転写部１５まで搬送され、上記プロセスによってシート材Ｓ上にトナー像が転写される。なお、シートＳへの二次転写後に中間転写ベルト１２上に残ったトナーは、転写ベルトクリーニング手段によって除去され、除去されたトナーは、廃トナー搬送路（不図示）を通過し、装置奥面部に配置された廃トナー回収容器（不図示）へと回収される。
【００２９】
二次転写部１５においてトナー像が二次転写されたシート材Ｓは、シート材Ｓ上に形成されたトナー像に熱、圧力を付与し、トナー像をシート材Ｓ上に定着する定着部１４へ送られる。定着部１４は、円筒状の定着ベルト１４ａと弾性加圧ローラ１４ｂとを備えており、両者のニップ部（定着ニップ部Ｎ）にシート材Ｓを挟み込むことで定着が行われる。
【００３０】
具体的には、定着ベルト１４ａのベルトガイド部材１４ｃに、ヒータ等の発熱手段が接着され、回転駆動する弾性加圧ローラ１４ｂに圧接して定着ベルト１４ａが従動回転する。そして、搬送されてきたシート材Ｓの未定着トナー像が形成されている方の面が定着ベルト１４ａに接触するようにして、未定着トナー像に対して熱、圧力を付与する。
【００３１】
トナー像が定着されたシート材Ｓは、定着部１４から搬送され、排出ローラ対２０から排出トレイ２１上に排出される。
【００３２】
（開閉ドアの構成）
本実施の形態に係る画像形成装置には、上記で説明した画像形成プロセスに関係する各部材、ユニットを収容する装置本体の筺体の一部に、装置本体に対して開閉可能な開閉ドア４０が設けられている。図２に本実施の形態における開閉ドア４０を開いた状態を示す。
【００３３】
開閉ドア４０は、図２における手前側に開閉可能である。すなわち、プロセスカートリッジ７ａ〜７ｄの装着方向（感光体ドラム１ａ〜１ｄの軸方向）に開閉可能に構成される。一般的にシート材の給送枚数が増えると、プロセスカートリッジ７に設けられた部材、ユニットの中にはメンテナンス、交換等の作業を要するものがある。
【００３４】
また、本実施の形態では、画像形成装置の運搬時の振動等によって、感光体ドラム１と現像ローラ２４が摺擦して感光体ドラム１の表面が損傷することを防ぐために、感光体ドラム１と現像ローラ２４を離間させる離間部材５３が設けられている。しかし、離間部材５３を装着した状態では画像形成を行うことができないので、シート材Ｓに画像を形成する際は、この離間部材５３を取り外す作業が必要になる。
【００３５】
本実施の形態では、図２に示すような開閉ドア４０を設けることによって、これらのメンテナンス、交換作業、離間部材の取り外し作業の作業スペースが確保されるので、ユーザの操作性を向上させることができる。なお、図２における手前側を、装置本体の正面側と称して（その反対は装置本体の奥側と称する）以下、説明を行う。
【００３６】
このように、装置本体の正面側に開閉ドア４０が形成され、開閉ドア４０を開くことで、装置本体正面側からプロセスカートリッジ７ａ〜７ｄ、給送カセット１１が着脱可能な構成（サイドオリエンティッド構成）が主流である。
【００３７】
（離間部材の構成）
図２〜図４を参照して、本実施の形態における離間部材５３について説明する。一般的にプロセスカートリッジ７ａ〜７ｄは、画像形成装置に装着された状態で出荷される。そして、本実施の形態に係る画像形成装置には、運搬時の振動によって、現像ローラ２４と感光体ドラム１の表面が摺擦して該表面が損傷しないように、現像ユニット４を感光体ドラム１から離間させる離間部材５３ａ〜５３ｄが装着されている。この離間部材５３ａ〜５３ｄは、図３に示すように、各プロセスカートリッジ７ａ〜７ｄに１つずつ設けられている。
【００３８】
図４は、離間部材５３をプロセスカートリッジ７に対して装着する状態を示すものである。離間部材５３には、２つの突起部が設けられ、この突起部を、プロセスカートリッジ７を構成する現像ユニット４、クリーナユニット５のそれぞれに形成される孔部に嵌合させることで、離間部材５３をプロセスカートリッジ７に対して装着することができる。この構成によると、クリーナユニット５と現像ユニット４の間隔を所定の距離に保つことができるので、現像ローラ２５と感光体ドラム１を離間させた状態に保つことが可能になる。
【００３９】
よって、装置本体の振動等により、現像ローラ２４が、感光体ドラム１と摺擦することを防止することができるので、出荷、搬送、設置時等の運搬時において感光体ドラム１の表面が損傷することを防止することが可能である。
【００４０】
また、上記の離間部材５３ａ〜５３ｄは、出荷時に予め開閉ドア４０に設けられており、開閉ドア４０の内側面にテープ５４ａ〜５４ｄによって取り外し可能に接着されている（図２参照）。そして出荷時には、装置本体にプロセスカートリッジ７ａ〜７ｄの装着が完了した状態で開閉ドア４０を閉じることで、離間部材５３ａ〜５３ｄをプロセスカートリッジ７ａ〜７ｄに装着した状態で出荷する。
【００４１】
画像形成装置が設置され、ユーザが最初に画像形成装置を使用する際は、まず開閉ドア４０を開く。離間部材５３は開閉ドア４０の内側面に取り付けられているので、開閉ドア４０を開くことによって、離間部材５３をプロセスカートリッジ７から脱出させることができる。
【００４２】
その後、開いた状態の開閉ドア４０から離間部材５３を取り除き、開閉ドア４０を閉じ、画像形成を行う。このように出荷後の画像形成装置を最初に使用する場合は、まず開閉ドア４０を開き、離間部材５３ａ〜５３ｄを取り除く、といった作業が必要である。
【００４３】
（電源スイッチのロック機構の構成）
図５、図６を参照して、本実施の形態における電源スイッチのロック機構の構成について説明する。
【００４４】
本実施の形態では、画像形成装置の外面であって開閉ドア４０の近傍に、上記で説明した画像形成プロセスに関係する各部材、ユニットへの電気の供給のオン・オフの切り換えを行う電源スイッチ５０を設けた。なお、電源スイッチ５０の位置は図２、３に示す位置に限られるものではなく、ユーザの操作性を考慮して、装置本体外面の任意の位置に配置することが出来る。
【００４５】
そして本実施の形態では、画像形成装置が出荷されてから最初に開閉ドア４０が開かれるまでは、電源スイッチ５０をオフの状態でロックするロック機構を有することを特徴とする。このようなロック機構を設けることで、出荷後、最初に画像形成装置を使用する際には、電源スイッチ５０をオンにするためにユーザが一旦開閉ドア４０を開くといった操作が必要になる。
【００４６】
よって、ユーザが、離間部材５３が装着されていることを忘れている場合であっても、最初に開閉ドア４０を開くことによって、開閉ドア４０の内側面に離間部材５３が設けられていることを認識することができるので、離間部材５３の存在に気づきやすい。その結果、離間部材５３を開閉ドア４０から取り外した状態で、画像形成プロセスを開始することができる。以下、このロック機構の構成について説明する。
【００４７】
図５は、ロック機構が電源スイッチ５０をオフの状態でロックしている場合を、装置本体の外面側から見た様子を示すものである。なお、この状態では、実際には開閉ドア４０は閉じられているが、よりわかりやすく説明するために、図５では開閉ドア４０を省略している。
【００４８】
電源スイッチ５０には、電源スイッチ５０がオン・オフ時に押圧または解放される方向と直交する方向に突起部５０ａが形成されている。そして、突起部５０ａと装置本体の間には、突起部５０ａに接触するＵ字形状のロック部材５１が設けられている。このように、ロック部材５１のＵ字形状に電源スイッチ５０が入り込み、Ｕ字形状の両端と突起部５０ａが接触することで、電源スイッチ５０がオンの方向に押圧されず、電源スイッチ５０をオフ状態でロックすることができる。
【００４９】
また、ロック部材５１には突起部５０ａが通過可能な開口部が形成されており、さらにロック部材５１は装置本体に設けられたバネ部材（付勢部材）５２によって図５中矢印方向に付勢されている。しかしながら、ロック部材５１の端部には爪部（係止部）５１ａが設けられており、この爪部５１ａが装置本体に係止されているので、開閉ドア４０が閉じた状態では、バネ部材５２の付勢力によってロック部材５１が矢印方向に移動することはない。よって、ロック部材５１が電源スイッチ５０に干渉するので、電源スイッチ５０の突起部５０ａが開口部を通過して電源スイッチ５０のロック状態が解除されることはない。
【００５０】
開閉ドア４０を開くと、その動作と連動して、開閉ドア４０に設けられたリブ（係止解除部）３１ａがロック部材５１に働き、ロック部材５１の爪部５１ａの係止状態を解除する。すると、バネ部材５２の付勢力によってロック部材５１が図中矢印方向へ付勢され、図６に示す状態になる。図６は、開閉ドア４０を開いたことでロック部材５１の係止状態が解除された状態を示す。この状態では、電源スイッチ５０に設けられた突起部５０ａがロック部材５１の開口部を通過することができるので、ユーザは電源スイッチ５０をオンの方に押圧することができる。
【００５１】
すなわち本実施の形態では、電源スイッチ５０がオフ状態でロックされた状態（爪部５０ａが装置本体に係止された状態）で装置本体を出荷し、装置本体を設置後に開閉ドア４０を開くことで、その動作と連動させて電源スイッチ５０のロック状態を解除する。その
結果、装置本体を運搬する際に、最初に開閉ドア４０を開くまでに電源スイッチ５０がオンになることはない。これによれば、電源スイッチ５０を装置本体外面の任意の場所に配置することができるので、設計上の自由度及びユーザの操作性が向上する。
【００５２】
また、開閉ドア４０を開く際にユーザが離間部材５３の存在を認識しやすくしているので、開閉ドア４０を開いて電源スイッチ５０のロック機構を解除するとともに、ユーザが離間部材５３を取り外すことができる。すなわち、離間部材５３を装着したままユーザが誤って電源スイッチをオンにしてしまう可能性を低減させることが可能になる。
【００５３】
また、本実施の形態によれば、装置本体を出荷後に一旦開閉ドア４０を開けば、電源スイッチ５０のロック機構は解除され、その後、開閉ドア４０を閉めても電源スイッチ５０がロックされることはない。しかし、装置本体を再度運搬し、電源スイッチ５０をオフの状態でロックする必要がある場合は、ロック部材５１の爪部材５１ａを再び装置本体に係止させるとよい。
【００５４】
なお、本実施の形態では、電源スイッチ５０としてプッシュ型電源スイッチを用いたが、シーソー型電源スイッチを用いても同様の効果を奏することができる。
【００５５】
［第２の実施の形態］
図７、図８を参照して、本発明の第２の実施の形態に係る画像形成装置について説明する。なお、画像形成装置の全体構成、離間部材の構成は第１の実施の形態と異なるものではないのでその説明は省略し、ここでは（電源スイッチのロック機構の構成）のみ説明を行う。
【００５６】
本発明におけるロック機構の構成は、上記第１の実施の形態に示す構成に限られず、図７、図８に示すような構成であってもよい。図７は、電源スイッチ５０のロック機構によって、電源スイッチ５０がオフの状態でロックされた様子を示すものである。また、図８は、電源スイッチ５０のロック状態が解除された状態を示すものである。なお、図７は開閉ドア４０が閉じた状態であるが、よりわかりやすく説明を行うために、図７において開閉ドア４０は省略されている。
【００５７】
本実施の形態におけるロック機構は、ロック部材５１を係止する際の係止手段の構成が第１の実施の形態と異なる。本実施の形態では、ロック部材５１に孔部（係止部）５１ｂが設けられており、開閉ドア４０に設けられたボス５６が孔部５１ｂに嵌合することで、ロック部材５１を係止する構成である。
【００５８】
そして開閉ドア４０を開くと、その動作と連動してボス５６が孔部５１ａから抜け出し、それによりロック部材５１の係止状態が解除される。その後、ロック部材５１がバネ部材５２によって図中矢印方向へ付勢され、ロック部材５１は図８に示す状態となる。図８の状態では、ロック部材５１が電源スイッチ５０に干渉することがないので、ユーザは電源スイッチ５０をオン・オフの方向へ押圧、解放することができる。
【００５９】
なお、本実施の形態では、電源スイッチ５０としてプッシュ型電源スイッチを用いたが、シーソー型電源スイッチを用いても同様の効果を奏することができる。
【００６０】
以上より、本発明によれば、電源スイッチが装置本体の外面に配置され、感光体ドラムとプロセス手段とを離間させる離間部材が設けられている場合でも、離間手段を取り外す前に電源スイッチがオンに入ることを防止可能な画像形成装置を提供することができる。
【図面の簡単な説明】
【００６１】
【図１】第１の実施の形態に係る画像形成装置の概略構成図。
【図２】第１の実施の形態に係る画像形成装置において開閉ドアを開いた状態を示す概略構成図。
【図３】第１の実施の形態におけるプロセスカートリッジと離間部材を装置本体の側面から見た図。
【図４】第１の実施の形態における離間部材をプロセスカートリッジに装着する状態を示す図。
【図５】第１の実施の形態における電源スイッチのロック機構（電源スイッチがロックされた状態）を示す図。
【図６】第１の実施の形態における電源スイッチのロック機構（電源スイッチのロックが解除された状態）を示す図。
【図７】第２の実施の形態における電源スイッチのロック機構（電源スイッチがロックされた状態）を示す図。
【図８】第２の実施の形態における電源スイッチのロック機構（電源スイッチのロックが解除された状態）を示す図。
【符号の説明】
【００６２】
１    感光体ドラム
４    現像ユニット
５    クリーナユニット
７    プロセスカートリッジ
２４  現像ローラ
２５  現像剤塗布ローラ
３１ａリブ
４０  開閉ドア
５０  電源スイッチ
５１  ロック部材
５２  バネ部材
５３  離間部材
【図１】
2009265571.tif 000003
【図２】
2009265571.tif 000004
【図３】
2009265571.tif 000005
【図４】
2009265571.tif 000006
【図５】
2009265571.tif 000007
【図６】
2009265571.tif 000008
【図７】
2009265571.tif 000009
【図８】
2009265571.tif 000010